(57)【要約】【課題】セラミックスの遠赤外線効果による燃料の燃焼効率向上。【解決手段】燃料を本考案品の下から上に流し、セラミックスによる電気解離作用により燃料を改質させる。こうして出来上がった燃料は完全燃焼するため、エンジンやボイラーが汚染されにくくなり、結果的に自動車走行の効率が向上する。【選択図】図１
0003101842.tif 000002
【実用新案登録請求の範囲】
【請求項１】
上部に燃料の流出口を下部に燃料の流入口を有する金属製または耐油性容器。
【請求項２】
この燃料改質器は軽油、Ａ重油、灯油、ガソリンに使用することができる。
【請求項３】
改質器の内部にはＣＤＡ社製、特殊セラミックスを使用。
【請求項４】
セラミックス上下はセラミックス押さえ・押さえバネにより固定し、そこでできた定数的空間には乱流を起こすよう処理する。
【請求項５】
燃料には内部通過中にセラミックスによりイオン化作用と電離が起きるようにする。
【請求項６】
抵抗を大きくし内部での乱流をより大きくするため、燃料は下から上に向かって流れるようにする。
【考案の詳細な説明】
【０００１】考案品は、円筒形その他の形状とし、金属その他耐油性容器の下部に燃料流入口を有し、上部には燃料流出口を有する容器で、内部のセラミックス・セラミックス押さえバネにより、空間処理を施した液体燃料用燃料改質器である。
【０００２】この燃料改質器は、燃料タンクと燃料フィルターの間で燃料ホースまたは燃料パイプに取り付けて、内部を燃料が通過するように取り付ける。
【０００３】改質器は軽油、Ａ重油、灯油、ガソリンに使用できる。
【０００４】改質器の中身にはＣＤＡ社製特殊セラミックスを使用する。このセラミックスの遠赤外線効果で燃料が改質され、完全燃焼するようになる。
【０００５】燃料を下から上へ重力に逆らって流すことで抵抗が大きくなり、内部での乱流がより大きくなることで燃料が完全に改質されるようになる。
【０００６】燃料が完全燃焼するために必要かつ十分な空間処理が必要となる。このため、考案品は小型車よりは大型車に向いていると言える。
【０００７】改質された燃料は完全燃焼するため、エンジンやボイラーの内部が清浄となり、燃焼効率が２０％〜４０％アップする。
【考案の属する技術分野】
本考案はガソリン、軽油、灯油、重油などの液体燃料の燃料改質に関するものである。
【従来の技術】
天然ガス、ガソリン、軽油、灯油、重油などの液体燃料の改質器は多々あるが、複雑な構造であり、セラミックスの遠赤外線効果では十分な改質が望めないと考えられていた。
【考案が解決しようとする課題】
セラミックスの遠赤外線効果による燃料の改質
【課題を解決するための手段】
構造は単純な円筒形の形状とし、下に燃料の流入口を、上に燃料の流出口を設けた。これを燃料タンクと燃料フィルターの間で燃料ホースまたは燃料パイプに取り付けて内部を燃料が通過するように取り付ける。内部に入れるセラミックスはＣＤＡ社製を採用した。非常に強力でイオン化作用だけでなく電気解離作用まで引き起こす。また、下から上へ重力に逆らって流すことで抵抗が大きくなり、内部での乱流がより大きくなるため、ほぼ完全に燃料が改質される。十分な空間が必要となるため、セラミックスを片側に寄せて空間での混合処理を行うようにする。
ここで、容器は金属または耐油性容器で良く、形状も流れが下から上であり、空間容量が十分であれば問題ない。セラミックスにおいても燃料の流量対比が定量であれば良い。
【考案の実施の形態】
容器は、上下にニップルをつけた金属または耐油性で直径７０ミリ、長さ２１０ミリ、重さ２．１キログラムの円筒の形を呈する。燃料は下から上に流れるように垂直に取り付ける。
内部はパンチングメタル（セラミックス押さえ）に上下を挟まれた直径１０ミリのセラミックスが抑えバネによって下側へ取り付けられている。
【考案の効果】
本考案品は、液体燃料を使用するエンジン及びバーナー（ボイラー、焼却炉）に使用する。
燃料が完全燃焼することにより、エンジン及びバーナーの内部は清浄となり、効率がアップする。大型トラック（１０トン以上）の一般走行において１３％以上、ボイラーにおいては２０％以上の効率アップが確認された。
ボイラーの燃焼テストにおいて本考案を取り付けたものとそうでないものとの対照実験を行った。２２５リットルの燃料タンク（３０ｃｍ×７５ｃｍ×）でギアーポンプの容量は毎時４５リットルという条件下で行ったところ、本考案を取り付けたものの燃料消費量は５．２２８リットルで、そうでないものの燃料消費量は７．４２５リットルと、通常の燃料の７１％の消費で済むことが分かった。
【図面の簡単な説明】
【図１】本考案品の断面図である。
【符号の説明】
１  本体
２  上蓋
３  下蓋
４  セラミックス押さえ
５  セラミックス
６  押さえバネ
７  パッキング
８  ニップル
0003101842.tif 000003
【図１】
0003101842.tif 000004
【手続補正書】
【提出日】平成15年5月27日(2003.5.27)
【手続補正１】
【補正対象書類名】明細書
【補正対象項目名】実用新案登録請求の範囲
【補正方法】変更
【補正の内容】
【実用新案登録請求の範囲】
【請求項１】
上部に燃料の流出口を、下部に燃料の流入口を有する、金属製または耐油性容器。
【請求項２】
考案品は円筒形その他の形状をした金属その他の耐油性容器で良く、軽油、Ａ重油、灯油、ガソリンに使用することができる燃料改質器である。
【請求項３】
考案品は内部に遠赤外線等の効果で燃料を改質するＣＤＡ社製特殊セラミックス等を使用する燃料改質器である。
【請求項４】
考案品の内部には、請求項３で記載したＣＤＡ社製特殊セラミックス等を、考案品本体下蓋の上に設置したセラミックス用プレートの上に詰め、浮遊しないように、セラミックスの上部にもセラミックス用プレートを設置し、セラミックス押さえバネにより固定する。このセラミックス押さえバネは考案品本体上蓋にて押さえられる構造になっている。
【請求項５】
考案品本体の下蓋の中央に各種ニップルを取り付け、ここに燃料ホース・燃料パイプ等をつなげて燃料を流し、同様に考案品本体の上蓋中央にも各種ニップルを使って燃料ホース・燃料パイプ等をつなぎ、考案品内部を通過した燃料がここから出て行くという構造にする。
【手続補正２】
【補正対象書類名】明細書
【補正対象項目名】図面の簡単な説明
【補正方法】変更
【補正の内容】
【図面の簡単な説明】
【図１】考案品の断面図
【符号の説明】１  本体
２  上蓋
３  下蓋
４  セラミックス用プレート
５  セラミックス
６  セラミックス押さえバネ
７  ニップル
８  シール用パッキング


【手続補正３】
【補正対象書類名】図面
【補正対象項目名】図１
【補正方法】変更
【補正の内容】
【図１】
0003101842.tif 000005
【手続補正書】
【提出日】平成15年9月19日(2003.9.19)
【手続補正１】
【補正対象書類名】明細書
【補正対象項目名】実用新案登録請求の範囲
【補正方法】変更
【補正の内容】
【実用新案登録請求の範囲】
【請求項１】
考案品は上部に燃料の流出口を、下部に燃料の流入口を有する金属または耐油性容器で作られた燃料改質器である。
【請求項２】
考案品は円筒形その他の形状をした金属その他の耐油性容器で良く、軽油、Ａ重油、灯油、ガソリンに使用することができるため、多種多様な自動車に使用できる燃料改質器である。
【請求項３】
考案品は内部に遠赤外線等の効果で燃料を改質するＣＤＡ社製特殊セラミックス等を使用する燃料改質器である。ＣＤＡ社製セラミックスは小野鉱石・ユークセン石・珪石・チタン・白金・銅など、１０種類以上の成分で構成され、特に放射性成分を持つ小野鉱石・ユークセン石を使用することで、放射線の作用により、電子の放出・吸収から電離作用にまで至り、物質変化を起こすことができる。中でもＨ・ＯＨが増加し、ややアルカリ性に偏るので活性化作用も従来のセラミックスの活性化作用より、分子の集団をより単粒子化し、燃料の燃焼効率が上げることができる。考案品は、従来のセラミックスではなくこのＣＤＡ社製セラミックスを使用した燃料改質器である。
【請求項４】
考案品は、請求項３で記載したＣＤＡ社製特殊セラミックス等について、
（１）考案品本体下蓋の上に設置したセラミックス用プレートの上に詰める。
（２）浮遊しないように、セラミックスの上部にもセラミックス用プレートを設置する。
（３）セラミックス用プレートをセラミックス押さえバネで固定し、この押さえバネはさらに本体上蓋にて押さえられている。
という構造を持った燃料改質器である。
【請求項５】
考案品本体の下蓋の中央に各種ニップルを取り付け、ここに燃料ホース・燃料パイプ等をつなげて燃料を流し、同様に考案品本体の上蓋中央にも各種ニップルを使って燃料ホース・燃料パイプ等をつなぎ、考案品内部を通過した燃料がここから出て行くという構造の燃料改質器である。
【手続補正書】
【提出日】平成15年12月25日(2003.12.25)
【手続補正１】
【補正対象書類名】明細書
【補正対象項目名】実用新案登録請求の範囲
【補正方法】変更
【補正の内容】
【実用新案登録請求の範囲】
【請求項１】
考案品は上部に燃料の流出口を、下部に燃料の流入口を有する金属または耐油性容器で作られた燃料改質器である。
【請求項２】
考案品は円筒形その他の形状をした金属その他の耐油性容器で良く、軽油、Ａ重油、灯油、ガソリンに使用することができるため、多種多様な自動車に使用できることを特徴とする請求項１記載の燃料改質器である。
【請求項３】
請求項１の燃料改質器において、
（１）内部に遠赤外線等の効果で燃料を改質するＣＤＡ社製特殊セラミックス等を使用。
（２）ＣＤＡ社製セラミックスは小野鉱石・ユークセン石・珪石・チタン・白金・銅など、１０種類以上の成分で構成され、特に放射性成分を持つ小野鉱石・ユークセン石を使用することで、放射線の作用により、電子の放出・吸収から電離作用にまで至り、物質変化を起こすことができる。
（３）ＣＤＡ社製セラミックスは特にＨ・ＯＨを増加させ、ややアルカリ性に偏るので、活性化作用が従来のセラミックスの活性化作用より分子の集団をより単粒子化し燃料の燃焼効率が上げることができる。
以上の特徴をもつ燃料改質器である。
【請求項４】
考案品は、請求項３で記載したＣＤＡ社製特殊セラミックス等について、
（１）考案品本体下蓋の上に設置したセラミックス用プレートの上に詰める。
（２）浮遊しないように、セラミックスの上部にもセラミックス用プレートを設置する。
（３）セラミックス用プレートをセラミックス押さえバネで固定し、この押さえバネはさらに本体上蓋にて押さえられている。
という構造を持つことを特徴とする請求項１記載の燃料改質器である。
【請求項５】
考案品本体の下蓋の中央に各種ニップルを取り付け、ここに燃料ホース・燃料パイプ等をつなげて燃料を流し、同様に考案品本体の上蓋中央にも各種ニップルを使って燃料ホース・燃料パイプ等をつなぎ、考案品内部を通過した燃料がここから出て行くという構造を特徴とする請求項１記載の燃料改質器である。